【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
フレームと、
膜と、
駆動ユニットと、
が設けられ、
前記膜は、前記フレームから懸架される外周縁と、内周縁とを有し、
前記駆動ユニットは、前記フレームに固定される固定部と、前記膜の前記内周縁に固定される並進運動可能部とを有し、
前記膜は、円周方向に見たときに、前記膜の前記内周縁から前記外周縁の間に平らな膜体及び半径方向に延在する放射状のパターンを有するひだを有し、
前記ひだは、前記膜体から前記駆動ユニットに向かって前記膜に対して実質的に垂直な方向に見たときに、前記外周縁から、前記内周縁と前記外周縁との間にある領域に向かって増加する深度を有し、
前記領域内において、前記ひだにはフェース部が設けられ、
前記フレームと前記フェース部に固定される懸架手段が設けられることを特徴とするスピーカ。
【請求項２】
前記内周縁及び前記外周縁は、実質的に平らな縁であることを特徴とする請求項１記載のスピーカ。
【請求項３】
前記膜の前記内周縁及び前記外周縁は、実質的に一致する面又はゾーン内に位置付けられることを特徴とする請求項１又は２記載のスピーカ。
【請求項４】
前記膜体は、僅かに凹状である凹状体であり、
前記実質的に平らな内周縁及び前記実質的に平らな外周縁は、平行面内に位置付けられることを特徴とする請求項２記載のスピーカ。
【請求項５】
前記懸架手段は、スパイダであることを特徴とする請求項１乃至４のうちいずれか一項記載のスピーカ。
【請求項６】
前記膜の前記実質的に平らな内周縁は、前記駆動ユニットの前記並進運動可能部のコイル支持体に固定されることを特徴とする請求項２又は３記載のスピーカ。
【請求項７】
前記ひだは、前記膜体から測定すると、請求項１に記載した前記領域から前記膜の前記実質的に平らな外周縁に向かって滑らかに減少する深度を有することを特徴とする請求項２又は３記載のスピーカ。
【請求項８】
前記ひだは、前記膜体から測定すると、請求項１に記載した前記領域から前記膜の前記実質的に平らな内周縁に向かって滑らかに減少する深度を有することを特徴とする請求項２又は３記載のスピーカ。
【請求項９】
前記ひだのパターンは、円周方向及び／又は半径方向に見たときに、規則的なパターンであることを特徴とする請求項１記載のスピーカ。
【手続補正２】
【補正対象書類名】明細書
【補正対象項目名】発明の名称
【補正方法】変更
【補正の内容】
【発明の名称】スピーカ
【手続補正３】
【補正対象書類名】明細書
【補正対象項目名】０００２
【補正方法】変更
【補正の内容】
【０００２】
このようなスピーカは、一般的に周知である。添付図面のうちの図８は、周知のスピーカを示す。このスピーカは、フレーム（１）、膜（２）、及び電磁気駆動ユニット（４）を有する。膜は、円錐体（２ａ）から形成され、平らな外周縁（２ｂ）と平らな内周縁（２ｃ）を有する。駆動ユニットは、固定部（４Ａ）と可動部（４ｂ）が設けられる。永久磁石と磁気ヨークを有する固定部は、フレームに固定される。可動部は、音声コイルと円筒コイル支持体（４ｂ１）を有する。膜は、その外周縁において、弾性懸架部（６）によってフレームに接続され、また、その内周縁において、コイル支持体に接着される。コイル支持体は、スパイダ（８）によってフレームに接続される。
【手続補正４】
【補正対象書類名】明細書
【補正対象項目名】０００７
【補正方法】変更
【補正の内容】
【０００７】
この目的は、フレームと、膜と、駆動ユニットとが設けられ、前記膜は、前記フレームから懸架される外周縁と、内周縁とを有し、前記駆動ユニットは、前記フレームに固定される固定部と、前記膜の前記内周縁に固定される並進運動可能部とを有し、前記膜は、円周方向に見たときに、前記膜の前記内周縁から前記外周縁の間に平らな膜体及び半径方向に延在する放射状のパターンを有するひだを有し、前記ひだは、前記膜体から前記駆動ユニットに向かって前記膜に対して実質的に垂直な方向に見たときに、前記外周縁から、前記内周縁と前記外周縁との間にある領域に向かって増加する深度を有し、前記領域内において、前記ひだにはフェース部が設けられ、前記フレームと前記フェース部に固定される懸架手段が設けられることを特徴とする、本発明のスピーカによって達成される。
【手続補正５】
【補正対象書類名】明細書
【補正対象項目名】０００８
【補正方法】変更
【補正の内容】
【０００８】
本発明のスピーカは、ひだ部分には、それ自体は周知であるスパイダといった懸架手段を固定するのに好適な上述の領域が設けられるよう波状にされる膜体が設けられる。このひだ部分は、膜の懸架された外周縁に対して、一致する軸方向距離、即ち、膜の動作方向に沿って見たときの距離に位置付けられる。このようにして、本発明のスピーカは、起伏膜の大きいストロークと安定した動作の両方を可能にする。更に、膜のこの特定のコルゲーション構造は、その最高の剛性と軽量によって最高の音響性能を可能にする。
【手続補正６】
【補正対象書類名】明細書
【補正対象項目名】０００９
【補正方法】変更
【補正の内容】
【０００９】
尚、欧州特許ＥＰ−Ａ９１４０２０号公報は、センタリング膜が固定されるリング型支持素子が設けられる平膜を有するスピーカを開示する。リング型支持素子は、スピーカの駆動ユニットの反対側の平らな膜面に設けられる。この支持素子は、スピーカの中央軸の周りに延在し、また、平膜のタンブルに対抗する働きを有する。このようなリング型支持素子は、本発明のスピーカにおける場合のようにひだのパターンが設けられた膜には好適ではない。
【手続補正７】
【補正対象書類名】明細書
【補正対象項目名】００１８
【補正方法】変更
【補正の内容】
【００１８】
懸架手段は、特に、スパイダをひだのフェース部に接着剤によって接着することが実用的である。ひだは、上述したように、膜の内周須知と外周縁との間の領域内に位置付けられる。
【手続補正８】
【補正対象書類名】明細書
【補正対象項目名】００２１
【補正方法】削除
【補正の内容】
【手続補正９】
【補正対象書類名】明細書
【補正対象項目名】００２４
【補正方法】変更
【補正の内容】
【００２４】
図１乃至３に記載するスピーカには、フレーム１０１、膜１０３、及び電磁気駆動ユニット１０５が設けられる。原則的に、膜１０３は、平らな外周縁１０４ａと、平らな内周縁１０４ｂが設けられた平らな膜体１０４を有し、また、放射状のひだ１０４ｃのパターンが設けられる。このパターンは、円周方向に見たときに膜１０４の表面全体に延在する。このひだ１０４ｃは、外周縁１０４ａから、外周縁１０４ａと内周縁１０４ｂとの間のリング型ゾーンによって形成される中間領域１０４Ａに向かって、且つ、内周縁１０４ｂからこの領域１０４Ａに向かって増加する深度（ｄ）を有する。従って、最大深度（ｄ）は、領域１０４Ａ内に位置付けられる。ひだ１０４ｃは、領域１０４Ａにおいてフェース部１０４Ｃが設けられる。膜体１０４は、例えば、紙、特に、強化紙から形成されうる。駆動ユニット１０５は、固定部１０６ａと、可動、即ち、並進運動可能部１０６ｂを有する。固定部１０６ａは、フレーム１０１に固定され、永久磁石１０７ａ及び磁気ヨーク１０７ｂを有する磁石系を有し、また、並進運動可能部１０６ｂは、音声コイル１０８ａ及びその上にコイル１０８ａが取り付けられるコイルフォーマ又は支持体１０８ｂを有するコイル系を有する。磁石系及びコイル系は、使用時に、空隙１０９を介して互いと磁気的に協働する。コイル支持体１０８ｂは、周知の接着剤でありうる好適な接着剤によって膜体１０４の内周縁１０４ｂに接着される。
【手続補正１０】
【補正対象書類名】明細書
【補正対象項目名】００２５
【補正方法】変更
【補正の内容】
【００２５】
膜体１０４の外周縁１０４ａは、例えば、ゴム又は発泡体によって形成される、それ自体は周知であるロールカラーといった弾性手段１１３によってフレーム１０１に接続される。
【手続補正１１】
【補正対象書類名】明細書
【補正対象項目名】００２６
【補正方法】変更
【補正の内容】
【００２６】
膜体１０４は更に、懸架手段、特に、スパイダ１１１によってフレーム１０１に接続される。スパイダ１１１は、好適には接着剤によって、その外側リムにおいてフレーム１０１に固定され、その内側リムにおいてひだ１０４ｃのフェース部１０４Ｃに固定される。図３に示す実施例では、２つのスパイダ１１１を用いている。
【手続補正１２】
【補正対象書類名】明細書
【補正対象項目名】００３０
【補正方法】変更
【補正の内容】
【００３０】
図７に示す変形には、フレーム（２０１）、膜（２０３）、及び駆動ユニット（２０５）が設けられる。膜は、フレーム（２０１）から懸架される平らな外周縁（２０４ａ）と、平らな内周縁（２０４ｂ）を有する。駆動ユニット（２０５）は、フレーム（２０１）に固定される固定部（２０６ａ）と、膜（２０３）の内周縁（２０４ｂ）に固定されるコイル支持体（２０８ｂ）が設けられる並進運動可能部（２０６ｂ）を有する。膜（２０３）は、僅かに円錐形の膜体（２０４）を有し、それにより、外周縁（２０４ａ）及び内周縁（２０４ｂ）は、同一平面内ではなく、平行面内に位置付けられる。内周方向において見るに、膜体（２０４）は、膜の内周縁（２０４ｂ）と外周縁（２０４ａ）との間に半径方向に延在するひだ（１０４ｃ）のパターンを有する。膜体（２０４）から駆動ユニット（２０５）に向けて、膜（２０３）に対し垂直な方向において見たときに、ひだ（１０４ｃ）は、深度（Ｄ）を有し、これは、縁（２０４ａ、２０４ｂ）から両方の縁（２０４ａ、２０４ｂ）間に位置付けられる中間領域（２０４Ａ）に向かって増加する。この領域（２０４Ａ）において、ひだ、又は、少なくとも幾つかのひだには、フェース部（２０４Ｃ）が設けられる。膜（２０３）は、それ自体は周知である弾性リング型素子（２１３）である第１の懸架手段とそれ自体は周知であるいわゆるスパイダ（２１１）である第２の懸架手段によってフレーム（２０１）から懸架される。リング型素子（２１３）は、膜（２０３）の外周縁（２０４ａ）と、フレーム（２０１）の縁部分に固定される。スパイダ（２１１）は、膜体（２０４）のフェース部（２０４Ｃ）とフレーム（２０１）の別の部分に固定される。